【事件の表示】
　平成１０年特許願第１８２４９５号「遊技機用の基板ケース」拒絶査定不服審判事件〔平成１２年１月１８日出願公開、特開２０００−１４９０７〕について、次のとおり審決する。
【結　論】
　本件審判の請求は、成り立たない。
【理　由】
１　手続の経緯
　本願は、平成１０年６月２９日の出願であって、平成１５年７月１１日付で拒絶査定がなされ、これに対し、同年８月１８日に拒絶査定に対する審判が請求されるとともに、同日付で手続補正がなされたものである。
　
２　平成１５年８月１８日付の手続補正についての補正却下の決定
［補正却下の決定の結論］
　平成１５年８月１８日付の手続補正を却下する。
　
［理由］
（１）補正後の本願発明
　本件補正により、特許請求の範囲の請求項１は、次のとおりに補正された。
　「【請求項１】　遊技に関する情報を記憶した読み出し専用メモリーを装着した基板本体を備えた制御基板を収納するとともに、遊技機に取り付けられる遊技機用の透明又は半透明の基板ケースであって、
　前記基板ケースは、
　全体をボックス状に形成するとともに、制御基板を内部に収納し、遊技機に固定されるケース本体と、前記ケース本体を覆い、ケース本体に着脱可能に固定されるケースカバーとを備え、
　前記ケース本体と前記ケースカバーとの間には、
前記ケース本体にケースカバーを固定するための固定部を設け、
　前記固定部は、
　前記ケース本体に設けられ、前記ケースカバーを取り付けるための複数の本体側の固定部と、
　前記複数の本体側の固定部に各々対応し、かつ、工具を用いて切断可能な幅に形成された破断部を介してケースカバーから張り出した複数のケース側の固定部とからなり、
　前記複数のケース側の固定部のうち、少なくとも１個を使用して前記ケースカバーを前記ケース本体に固定可能とするとともに、前記破断部の破断によってケースカバーを開放可能とし、残るケース側の固定部を次回以降の固定に使用できるようにすることで、ケースカバーを開放した痕跡がケース本体に残るように形成した遊技機用の基板ケースにおいて、
　前記ケース側の固定部には、前記本体側の固定部に固定するための止めネジを挿入する固定穴を設け、
　前記固定穴は、ケースカバーをケース本体に固定するために使用しない状態で、挿入された止めネジが仮止め可能に形成され、
　ケース本体20には、ケース本体20から突出した爪部23が設けられ、ケースカバー30には、前記ケース本体20の爪部23に対応し、前記爪部23がはまり込む穴34が設けられ、前記穴34に前記爪部23がはまりこんだ状態でケース本体20にケースカバー30を仮止め可能に形成し、
　前記ケースカバーには、ケースカバーの内面から前記読み出し専用メモリーに向かって突出するとともに、その先端が読み出し専用メモリーの厚さ方向の前面に臨む突出部を設け、
　前記突出部は、読み出し専用メモリーのパッケージを臨む位置に前記ケースカバーに対して離脱不能な一体的な状態で形成され、
　読み出し専用メモリーの厚さ方向の前面と突出部との間には、基板本体に差し込まれるリード端子の差込量よりも小さい間隔が形成されていることを特徴とする遊技機用の基板ケース。」
　
　上記補正は、平成１４年７月１日付手続補正書の特許請求の範囲の請求項１に記載された発明に請求項３の内容を付加するとともに、請求項１に記載された発明を特定するために必要な事項である「ケース本体」及び「ケースカバー」について限定を付加するものであって、特許法第１７条の２第４項第２号の特許請求の範囲の減縮を目的とするものに該当する。
　そこで、本件補正後の前記請求項１に記載された発明（以下、「本願補正発明」という）が特許出願の際独立して特許を受けることができるものであるか（平成１５年改正前特許法第１７条の２第５項において準用する同法第１２６条第４項の規定に適合するか）について以下に検討する。
　
（２）引用例
　原査定の拒絶の理由に引用された特開平１０−５７５７３号公報（以下、「引用例」という）には、次の事項が記載されている。
　
　「【発明の属する技術分野】本発明は、遊技機（パチンコ機等）の遊技内容を制御する制御基板を格納する制御箱であって、不正行為を阻止する制御箱に関する。」（段落【０００１】）
　「【従来の技術】従来の遊技機（パチンコ機等）に取付けの制御箱は、図３（Ｄ）に示す断面図を参照して概説すると、遊技内容を制御する制御素子等を配列の制御基板５２はシャーシ５３に固定され、表カバー体５０によって覆われ、この制御箱は遊技機の裏面に着脱自在に取り付けてある。前記制御基板５２には、ＣＰＵ、ＲＯＭ（リードオンリーメモリ）等の制御素子が配置してあり、とりわけ制御ソフトが記録してあるＲＯＭ５４が重要な役割を果たす。そこで、かかるＲＯＭ５４を取り替えて、不正に異なるゲームとすることを禁止するため、制御箱は内部を確認できるように透明の樹脂で、且つ、表カバー体５０とシャーシ５３にわたって封印紙５６を貼着して容易に不正ができないようになっている。・・・」（段落【０００２】）
　「【発明の実施の形態】（第１の実施の形態）遊技機としてパチンコ機を例にとって説明すると、パチンコ機は遊技球が特定箇所に入賞すると、図柄表示器を介して遊技者にとって有利な大当たり等を生起して多量の景品球を払い出す。このような、遊技内容を制御するために、パチンコ機の裏面には制御箱１内に、「ＲＯＭ（リードオンリーメモリ）１０１等の制御素子」を搭載の制御基板１２がビス等で固定して格納してある。」（段落【０００５】）
　「図１はよく知られたパチンコ機の裏面図であり、裏面中央には遊技盤の表側に配設の入賞口等に入賞した遊技球を集めて、入賞球処理装置６２に１球毎分離処理させる入賞球集合樋６１が設けてある。この入賞球集合樋６１の左下方には、入賞球や賞品球等のゲーム処理を行う制御素子を搭載の制御基板を内蔵の制御箱１が配設してあると共に、右下方には、球貸機７０からの信号に基づく貸球等の処理信号をパチンコ機と送受信するインターフェイス基板８０が設置してある。」（段落【０００６】）
　「図２は制御箱１の部品分解図であって、この制御箱１は箱状の表カバー体１０と裏カバー体１１、制御素子（図示略）を取付の制御基板１２とその制御基板を固定するシャーシ１３とで構成する。・・・」（段落【０００８】）
　「また、図３（Ａ）は制御箱１の一部を切り欠いた斜視図であって、表カバー体１０には、制御基板１２に設置の「ＲＯＭ１０１」の直上面に対応する位置に突出部１００が形成してある。尚、その突出部１００は、制御箱１を組み立てたとき（図３（Ｂ）の断面図を参照）、「ＲＯＭ１０１」に接触する状態であってもよいが、放熱を考慮して、ＲＯＭ１０１を抜くことが不可能な隙間とするのが望ましい。このように、ＲＯＭ１０１の直上面に突出部１００を形成すると、直上に隙間がない状態において、ソケットからピンを抜いてＲＯＭ１０１を取り外すことはできない。」（段落【０００９】）
　「尚、本実施の形態の制御箱１は、表カバー体１０と裏カバー体１１を、封印紙の貼着の替りに、止着部材Ａ、Ｂを介して不正行為を防止している。即ち、止着部材Ａ、Ｂを装着すると、係止爪（図示略）を介して固定され、止着部材Ａ、Ｂを切断しない限り表カバー体１０と裏カバー体１１の開放は不可能である。従って、制御箱１は止着部材Ａ、Ｂによって開放することはできないし、表カバー体１０に形成の突出部１００によって「ＲＯＭ１０１」は抜くことができず、不正行為を防止することができる。」（段落【００１１】）
　
　以上の記載事項及び図１乃至３を参酌すると、引用例には次の発明（以下、「引用発明」という）が記載されているものと認められる。
　
　「遊技機の裏面には制御箱１内に遊技内容を制御するためのＲＯＭ１０１を搭載の制御基板１２が格納してあり、
　前記制御箱１は、
　箱状の表カバー体１０と、裏カバー体１１、制御基板１２とを備え、
　前記表カバー体１０と前記裏カバー体１１を止着部材Ａ、Ｂを介して固定し、
　前記表カバー体１０には、前記ＲＯＭ１０１の直上面に対応する位置に突出部１００が形成してあり、
　ＲＯＭ１０１と突出部１００には、ＲＯＭ１０１を抜くことが不可能な隙間が形成されている遊技機の制御箱１。」
　
（３）対比
　そこで、本願補正発明と引用発明を比較すると、引用発明の「制御箱１」は本願補正発明の「基板ケース」に相当し、以下同様に、「遊技内容を制御するためのＲＯＭ１０１」は「遊技に関する情報を記憶した読み出し専用メモリー」に、「制御基板１２」は「基板本体を備えた制御基板」に、「箱状」は「ボックス状」に、「表カバー体１０」は「ケースカバー」に、「裏カバー体１１」は「ケース本体」に、「突出部１００」は「突出部」にそれぞれ相当する。さらに、
　ア）引用例の段落【０００２】には、「従来の遊技機（パチンコ機）に取付けの制御箱」に関し、「内部を確認できるように透明の樹脂で」あることが記載されており、引用発明の「基板ケース」も透明であると考えるのが妥当である。
　イ）引用例の段落【００１１】には、「止着部材Ａ、Ｂを装着すると、係止爪（図示略）を介して固定され、止着部材Ａ、Ｂを切断しない限り表カバー体１０と裏カバー体１１の開放は不可能である」と記載されており、止着部材Ａ、Ｂを切断すれば表カバー体１０と裏カバー体１１は開放可能であるから、引用発明の「ケースカバー」と「ケース本体」は着脱可能である。
　ウ）引用発明の「止着部材Ａ、Ｂ」は本願補正発明の「固定部」に相当し、引用例の図３（Ａ）を参照すれば、「複数の本体側の固定部」と「複数の本体側の固定部に対応した複数のケース側固定部」からなることは明らかである。
　エ）引用発明の「前記表カバー体１０には、前記ＲＯＭ１０１の直上面に対応する位置に突出部１００が形成してあ」る構成は、引用例の図３（Ａ）（Ｂ）を参照すると、本願補正発明の「前記ケースカバーには、ケースカバーの内面から前記読み出し専用メモリーに向かって突出するとともに、その先端が読み出し専用メモリーの厚さ方向の前面に臨む突出部を設け」、「前記突出部は、読み出し専用メモリーのパッケージを臨む位置に」形成された構成に対応することは明らかである。また、引用発明の「突出部」が「ケースカバーに対して離脱不能な一体的な状態で形成され」ていることも明らかである。
　オ）引用発明の「ＲＯＭ１０１と突出部１００には、ＲＯＭ１０１を抜くことが不可能な隙間が形成されている」構成が、本願補正発明の「読み出し専用メモリーの厚さ方向の前面と突出部との間には、基板本体に差し込まれるリード端子の差込量よりも小さい間隔が形成されている」構成に対応することは、当業者にとって自明である。
　
　したがって、両者は、
　「遊技に関する情報を記憶した読み出し専用メモリーを装着した基板本体を備えた制御基板を収納するとともに、遊技機に取り付けられる遊技機用の透明又は半透明の基板ケースであって、
　前記基板ケースは、
　全体をボックス状に形成するとともに、制御基板を内部に収納し、遊技機に固定されるケース本体と、前記ケース本体を覆い、ケース本体に着脱可能に固定されるケースカバーとを備え、
　前記ケース本体と前記ケースカバーとの間には、
前記ケース本体にケースカバーを固定するための固定部を設け、
　前記固定部は、
　前記ケース本体に設けられ、前記ケースカバーを取り付けるための複数の本体側の固定部と、
　前記複数の本体側の固定部に各々対応した複数のケース側の固定部とからなり、
　前記ケースカバーには、ケースカバーの内面から前記読み出し専用メモリーに向かって突出するとともに、その先端が読み出し専用メモリーの厚さ方向の前面に臨む突出部を設け、
　前記突出部は、読み出し専用メモリーのパッケージを臨む位置に前記ケースカバーに対して離脱不能な一体的な状態で形成され、
　読み出し専用メモリーの厚さ方向の前面と突出部との間には、基板本体に差し込まれるリード端子の差込量よりも小さい間隔が形成されている遊技機用の基板ケース。」
である点で一致し、以下の点で相違する。
　
（相違点１）
　複数のケース側の固定部に関し、本願補正発明では、工具を用いて切断可能な幅に形成された破断部を介してケースカバーから張り出しており、少なくとも１個を使用してケースカバーをケース本体に固定可能とするとともに、破断部の破断によってケースカバーを開放可能とし、残るケース側の固定部を次回以降の固定に使用できるようにすることで、ケースカバーを開放した痕跡がケース本体に残るように形成し、また、本体側の固定部に固定するための止めネジを挿入する固定穴を設け、固定穴は、ケースカバーをケース本体に固定するために使用しない状態で、挿入された止めネジが仮止め可能に形成されているのに対して、引用発明では、当該構成を備えていない点。
　
（相違点２）
　本願補正発明では、ケース本体には、ケース本体から突出した爪部が設けられ、ケースカバーには、ケース本体の爪部に対応し、爪部がはまり込む穴が設けられ、穴に爪部がはまりこんだ状態でケース本体にケースカバーを仮止め可能に形成しているのに対して、引用発明では、当該構成を備えていない点。
　
（４）判断
（相違点１）について
　遊技機用の基板ケースにおいて、ケースカバーを開放した痕跡がケース本体に残るようにすることは従来周知の技術であり、固定穴に挿入された止めネジが仮止め可能に形成されている点も含めて、上記相違点１に係る具体的な構成も従来周知のものと何ら変わりない（周知例として、原審において例示されている登録実用新案第３０４３９２０号公報、登録実用新案第３０４１６９２号公報等参照）。
　引用発明と当該周知技術は、遊技機の基板ケースに収納した制御基板に対する不正行為を阻止することを目的としたものである点で共通するから、引用発明に対して当該周知技術を適用することは、当業者であれば容易になしえる。
　よって、相違点１に係る本願補正発明の構成は、引用発明及び周知技術に基づいて当業者が容易に想到しえたものである。
　
（相違点２）について
　遊技機用の基板ケースにおいて、ケース本体及びケースカバーに爪部及び穴をそれぞれ設け、ケース本体にケースカバーを仮止め可能に形成する技術は、従来周知である（周知例として、原審において例示されている特開平９−２９９５５４号公報（図２における「係止垂下片８４」及び「係合穴７０」）、登録実用新案第３０４１６９２号公報（図６における「フック２１」及び「係合孔２２」）等参照）。
　引用発明と当該周知技術は、ケース本体とケースカバーからなる遊技機用の基板ケースに関するものである点で共通するから、引用発明に対して当該周知技術を適用することは、当業者であれば容易になしえる。
　よって、相違点２に係る本願補正発明の構成は、引用発明及び周知技術に基づいて当業者が容易に想到しえたものである。
　
　そして、本願補正発明の作用効果も、引用発明及び周知技術から当業者が予測できる範囲のものである。
　したがって、本願補正発明は、引用発明及び周知技術に基づいて当業者が容易に発明をすることができたものであるから、特許法第２９条第２項の規定により特許出願の際独立して特許を受けることができないものである。
　
（５）むすび
　以上のとおり、本件補正は、平成１５年改正前特許法第１７条の２第５項において準用する同法第１２６条第４項の規定に違反するものであり、特許法第第１５９条第１項の規定において読み替えて準用する特許法第５３条第１項の規定により却下すべきものである。
　
３　本願発明について
（１）本願発明
　平成１５年８月１８日付の手続補正は上記のとおり却下されたので、本願の請求項１に係る発明（以下、同項記載の発明を「本願発明」という）は、平成１４年７月１日付手続補正書の特許請求の範囲の請求項１に記載された次のとおりのものである。
　「【請求項１】　遊技に関する情報を記憶した読み出し専用メモリーを装着した基板本体を備えた制御基板を収納するとともに、遊技機に取り付けられる遊技機用の透明又は半透明の基板ケースであって、
　前記基板ケースは、
　全体をボックス状に形成するとともに、制御基板を内部に収納し、遊技機に固定されるケース本体と、前記ケース本体を覆い、ケース本体に着脱可能に固定されるケースカバーとを備え、
　前記ケース本体と前記ケースカバーとの間には、
前記ケース本体にケースカバーを固定するための固定部を設け、
　前記固定部は、
　前記ケース本体に設けられ、前記ケースカバーを取り付けるための複数の本体側の固定部と、
　前記複数の本体側の固定部に各々対応し、かつ、工具を用いて切断可能な幅に形成された破断部を介してケースカバーから張り出した複数のケース側の固定部とからなり、
　前記複数のケース側の固定部のうち、少なくとも１個を使用して前記ケースカバーを前記ケース本体に固定可能とするとともに、前記破断部の破断によってケースカバーを開放可能とし、残るケース側の固定部を次回以降の固定に使用できるようにすることで、ケースカバーを開放した痕跡がケース本体に残るように形成した遊技機用の基板ケースにおいて、
　前記ケースカバーには、ケースカバーの内面から前記読み出し専用メモリーに向かって突出するとともに、その先端が読み出し専用メモリーの厚さ方向の前面に臨む突出部を設け、
　前記突出部は、読み出し専用メモリーのパッケージを臨む位置に前記ケースカバーに対して離脱不能な一体的な状態で形成され、
　読み出し専用メモリーの厚さ方向の前面と突出部との間には、基板本体に差し込まれるリード端子の差込量よりも小さい間隔が形成されていることを特徴とする遊技機用の基板ケース。」
　
（２）引用例
　原査定の拒絶の理由に引用された引用例、及び、その記載事項は前記２（２）に記載したとおりである。
　
（３）対比・判断
　本願発明は、前記２で検討した本願補正発明から前記２（１）で検討した限定事項を省いたものである。
　そうすると、本願発明の構成要件を全て含み、さらに上記限定事項を付加したものに相当する本願補正発明が、前記２（４）に記載したとおり、引用発明及び周知技術に基づいて当業者が容易に発明をすることができたものであるから、本願発明も引用発明及び周知技術に基づいて当業者が容易に発明をすることができたものである。
　
（４）むすび
　以上のとおり、本願発明は、引用発明及び周知技術に基づいて当業者が容易に発明をすることができたものであるから、特許法第２９条第２項の規定により特許を受けることができない。
　よって、結論のとおり審決する。